(57)【要約】【課題】  観察条件を再現した後で電源が再投入された場合に、再現される観察条件の一部を初期化することで、標本の破損や人体への影響を防止する。【解決手段】  複数の電動装置と、複数の電動装置を駆動させたときに、該複数の電動装置の位置情報をそれぞれ取得する取得手段と、位置情報を観察条件の一つとして記憶する記憶手段と、記憶手段から観察条件の一つとして記憶された位置情報を読み出して、前記複数の電動装置を駆動する制御手段と、複数の電動装置のそれぞれに給電を行う電源装置と、位置情報に基づいて複数の電動装置が駆動された後、電源装置により複数の電動装置への再給電が行われたときに、記憶手段から読み出された位置情報の少なくとも一部を初期化する初期化手段と、を備える。【選択図】    図１
2008310022.tif 000002
【特許請求の範囲】
【請求項１】
標本の観察条件に合わせて複数の可動部を電動駆動する複数の電動装置と、
前記複数の電動装置を駆動させたときに、前記複数の可動部の位置情報をそれぞれ取得する取得手段と、
前記位置情報を観察条件の一つとして記憶する記憶手段と、
前記記憶手段から前記観察条件の一つとして記憶された位置情報を読み出して、前記複数の電動装置を駆動し、前記複数の可動部の設定状態を再現する制御手段と、
前記複数の電動装置のそれぞれに給電を行う電源装置と、
前記位置情報に基づいて前記複数の電動装置が駆動された後、前記電源装置により前記複数の電動装置への再給電が行われたときに、前記記憶手段から読み出された位置情報の少なくとも一部を初期化する初期化手段と、
を備えたことを特徴とする電動顕微鏡。
【請求項２】
請求項１記載の電動顕微鏡において、
前記初期化手段によって初期化される位置情報は、光学部材の位置情報、又は標本を照明する照明部材の位置情報の少なくとも一方が含まれていることを特徴とする電動顕微鏡。
【請求項３】
請求項１又は２記載の電動顕微鏡において、
前記取得手段によって取得された位置情報を選択する際に操作される選択操作手段を備えており、
前記記憶手段は、前記選択操作手段によって選択された位置情報を観察条件の一つとして記憶することを特徴とする電動顕微鏡。
【請求項４】
請求項３記載の電動顕微鏡において、
前記選択操作手段は、前記記憶手段に記憶された観察条件、又は位置情報の選択を行うことが可能であり、
前記制御手段は、前記選択操作手段によって選択された観察条件又は位置情報を用いて、対応する電動装置を作動させることを特徴とする電動顕微鏡。
【請求項５】
請求項１〜４いずれか１つ記載の電動顕微鏡において、
前記観察条件を構成する全ての要素の更新及び前記位置情報のみの更新の少なくとも何れか一方の更新を行う情報更新手段を備えていることを特徴とする電動顕微鏡。
【発明の詳細な説明】
【技術分野】
【０００１】
本発明は、観察条件を記憶し、また記憶された観察条件を用いた制御を行うことが可能な電動顕微鏡に関する。
【背景技術】
【０００２】
顕微鏡は、微細な試料（標本）を拡大して観察したり、観察像を写真やビデオ画像として記録するものとして用いられ、また、生物分野から工業分野の検査工程までの幅広い分野で利用されている。
【０００３】
従来、顕微鏡は、対物レンズの倍率の切り替えやステージの移動など、観察条件を変更する場合には、これら動作を手動にて行うことが一般的であったが、手間がかかる上に、再現性に劣るという問題があった。最近では、このような観察条件を変更する際に、上述した対物レンズの倍率の変更や、ステージの移動などを電動で制御するものや、電動で制御された顕微鏡の各部の位置等を観察条件として複数記憶させておき、記憶された観察条件を用いることで、過去に設定した観察条件を容易に再現できるものが提供されている（特許文献１等）。
【特許文献１】特開２００２−１４２８８号公報
【発明の開示】
【発明が解決しようとする課題】
【０００４】
このような顕微鏡において、観察条件を再現した状態で電源をオフにし、再度電源をオンにした場合には、電源投入時の初期化処理が実行された後、記憶された全ての観察条件を再現するように顕微鏡の各部が制御される。このように、電源再投入時に、観察条件を再現するように顕微鏡の各部が制御されると、例えば標本を入れ替えていたとするとステージと対物レンズとの相対位置が変化する（再調整される）ことになり、対物レンズによる標本の破損などが発生する。また、この他に、レーザ光などの全反射照明を再現する場合には、異なる倍率の対物レンズに切り替えられていたとすると、レーザ光が意図しない方向に反射する、つまり反射したレーザ光がユーザに向けて照射されてしまうという問題もある。
【０００５】
本発明は、上述した課題を解決するために発明されたものであり、観察条件を再現した後で電源が再投入された場合に、再現される観察条件の一部を初期化することで、標本の破損や人体への影響を防止することができるようにした電動顕微鏡を提供することを目的とする。
【課題を解決するための手段】
【０００６】
上述した課題を解決するために、本発明の電動顕微鏡は、標本の観察条件に合わせて複数の可動部を電動駆動する複数の電動装置と、前記複数の電動装置を駆動させたときに、前記複数の可動部の位置情報をそれぞれ取得する取得手段と、前記位置情報を観察条件の一つとして記憶する記憶手段と、前記記憶手段から前記観察条件の一つとして記憶された位置情報を読み出して、前記複数の電動装置を駆動し、前記複数の可動部の設定状態を再現する制御手段と、前記複数の電動装置のそれぞれに給電を行う電源装置と、前記位置情報に基づいて前記複数の電動装置が駆動された後、前記電源装置により前記複数の電動装置への再給電が行われたときに、前記記憶手段から読み出された位置情報の少なくとも一部を初期化する初期化手段と、を備えたことを特徴とする。
【０００７】
また、前記初期化手段によって初期化される位置情報は、光学部材の位置情報、又は標本を照明する照明部材の位置情報の少なくとも一方が含まれていることを特徴とする。
【０００８】
また、前記取得手段によって取得された位置情報を選択する際に操作される選択操作手段を備え、前記記憶手段は、前記選択操作手段によって選択された位置情報を観察条件の一つとして記憶することを特徴とする。
【０００９】
また、前記選択操作手段は、前記記憶手段に記憶された観察条件、又は位置情報の選択を行うことが可能であり、前記制御手段は、前記選択操作手段によって選択された観察条件又は位置情報を用いて、対応する電動装置を作動させることを特徴とする。
【００１０】
また、前記観察条件を構成する全ての要素の更新及び前記位置情報のみの更新の少なくとも何れか一方の更新を行う情報更新手段を備えていることを特徴とする。
【発明の効果】
【００１１】
本発明によれば、観察条件を再現したときに電源が再投入された場合であっても、標本の破損や、光源からの照射光による人体への影響を防止することができる。
【発明を実施するための最良の形態】
【００１２】
図１に示すように、顕微鏡１０は、電動ファイバ光源１１を利用して標本２６を観察する全反射照明観察と、光源４０を利用して標本２６を観察する透過観察など、複数の観察方法で標本２６の観察や標本画像の取得を行うことができる。
【００１３】
全反射照明観察を行う場合には、シャッタ内蔵型の電動ファイバ光源１１が用いられる。この電動ファイバ光源１１は、その光軸に直交する方向に移動することが可能であり、標本２６へのレーザ光の入射角度を変更できるようになっている。
【００１４】
電動ファイバ光源１１から出射されたレーザ光は、コレクタレンズ１２を透過した後、フイルタターレット１３に設けられたフイルタブロック１４ａ〜１４ｎのうち、光路上に配置されたフイルタブロックに到達する。これらフイルタブロックは、抽出する波長域がそれぞれ異なるように設定され、抽出する波長域にあわせたフイルタブロックが光路上に配置される。フイルタブロック１４ａ〜１４ｎの構成は同一であることから、フイルタブロック１４ａについて説明し、他のフイルタブロックについては、その説明を省略する。
【００１５】
フイルタブロック１４ａは、励起フイルタ１５ａ、ダイクロイックミラー１６ａ及び吸収フイルタ１７ａから構成されている。励起フイルタ１５ａは、標本の励起に必要な波長の光を抽出するために設けられている。ダイクロイックミラー１６ａは、電動ファイバ光源１１からのレーザ光を標本２６に向けて全反射させる。吸収フイルタ１７ａは、ダイクロイックミラー１６ａを透過した際に生じる散乱光などを分離する。
【００１６】
ダイクロイックミラー１６ａを反射したレーザ光は、レボルバ２０に設けられた対物レンズ２１ａ〜２１ｎのうち、光路上に配置された対物レンズに到達する。以下では、対物レンズ２１ａが光路上に配置された場合について説明する。対物レンズ２１ａに到達したレーザ光は、対物レンズ２１ａを透過するときに、対物レンズ２１ａの後焦点面の辺縁部で集光される。この対物レンズ２１ａを透過したレーザ光は、ステージ２５上の標本２６の背面側で全反射される。
【００１７】
ステージ２５上に載置された標本２６は蛍光試薬で染色されており、標本２６の背面側で全反射したレーザ光により生じる励起光が照射される。この励起光の照射により染色部分から蛍光が発生する。この蛍光は、励起光よりも長波長の光となる。この波長域の蛍光は、対物レンズ２１ａに集められた後、フイルタブロック１４ａに到達する。その後、蛍光は全反射ミラー２７，２８にて、その伝播方向を変化させられながら、結像レンズ２９を介して光路分割プリズム３０に到達する。
【００１８】
光路分割プリズム３０は、蛍光の一部を反射して、接眼レンズ３１に供給する。ユーザー（観察者）は、この接眼レンズ３１を介して蛍光像を直に観測することができる。一方、残りの蛍光は、光路分割プリズム３０を透過した後、ＣＣＤなどの撮像素子３２に入射される。撮像素子３２に入射される蛍光は、撮像素子３２の結像面にて結像される。なお、この撮像素子３２は、撮像制御回路５５によって作動制御される。
【００１９】
透過観察を行う場合には、光源４０が用いられる。光源４０は、励起光よりも生体標本を痛める度合いの少ない、例えば８００ｎｍの照明光を出射する。この照明光は、コレクタレンズ４１，およびシャッタ４２を介して、全反射ミラー４３に到達する。照明光は、全反射ミラー４３で反射した後、バンドパスフイルタ４４を介して特定波長に制限される。その後、コンデンサ４５、集光レンズ４６などを透過し、ステージ２５上の標本２６に照射される。
【００２０】
標本２６に照射された透過光は、対物レンズ２１ａに集められた後、ダイクロイックミラー１６ａに到達する。この波長域の透過光は、ダイクロイックミラー１６ａを透過し、撮像素子３２によって取り込まれる。
【００２１】
蛍光照明駆動回路５０は、シャッタ内蔵型の電動ファイバ光源１１を点灯させる、又は消灯させるとともに、内蔵されるシャッタ（図示せず）の開閉動作を行う。透過照明駆動回路５１は、光源４０を点灯、又は消灯させるとともに、シャッタ４２の開閉動作を行う。
【００２２】
ターレット駆動機構５２は、フイルタターレット１３を作動させて、光路上に配置するフイルタブロックの切り替えを行う。レボルバ駆動機構５３は、レボルバ２０を作動させて光路上に配置する対物レンズの切り替えを行うとともに、レボルバ２０を上下方向に移動させる。ステージ駆動機構５４は、ステージ２５をＸＹ平面に沿って移動させる。なお、符号５６は、電源装置であり、この電源装置５６によって、顕微鏡１０の各部に給電、又は給電の停止が実行される。
【００２３】
この顕微鏡１０は、制御回路を備えている。この制御回路６０は、ＣＰＵ６１、ＲＯＭ６２、ＲＡＭ６３を備えている。ＣＰＵ６１は、顕微鏡１０の各部を統括的に制御する。ＣＰＵ６１は顕微鏡１０の各部を作動させたときに、電動ファイバ光源１１の位置、フイルタターレット１３の位置（或いはフイルタブロックの種類）、レボルバ２０の位置（或いは光路上に配置される対物レンズの種類や、光軸方向における位置）などの顕微鏡１０の各部の位置情報や、全反射照明観察、透過観察などの観察方法を取得し、ＲＡＭ６３に一時記憶する。ＲＯＭ６２は、ＣＰＵ６１によって使用されるプログラムやデータなどが記憶されている。
【００２４】
ＲＡＭ６３は、プログラムを実行することによって生成される演算子や、観察情報などが記憶される。観察情報は、標本２６の観察や標本画像の取得における顕微鏡１０の状態を示す情報（以下、状態情報）を観察条件毎にまとめたものであり、状態情報が１つも記憶されていない場合には、観察情報は未登録となる。状態情報としては、電動ファイバ光源１１、フイルタターレット１３及びレボルバ２０の位置、ステージ２５のＸＹ平面上の位置、観察方法等が挙げられる他に、電源装置５６による再給電時に位置情報をリセットするか否かを示す自動解除フラグが挙げられる。この自動解除フラグは、観察条件に合わせて顕微鏡１０の各部を駆動させたときに取得される位置情報のそれぞれに対して設定され、位置情報をＲＡＭ６３に記憶するときには、位置情報と関連付けられる。
【００２５】
この顕微鏡１０は、コントローラ６５を備えており、このコントローラ６５により、顕微鏡１０の各部を作動するときに操作される。コントローラ６５は入力操作部６６と表示部６７とを備えている。入力操作部６６は、フイルタターレット１３やレボルバ２０の切り替えなど、顕微鏡１０の各部を個別に作動させるときに操作される他に、観察情報の登録、更新及び削除を行うときに操作される。さらに、この入力操作部６６は、登録された観察情報から使用する状態情報を選択する場合や、状態情報の各項目のいずれかを選択する場合に操作される。表示部６７は、顕微鏡１０における標本２６の観察時における状態情報の表示や、観察情報の登録、更新及び削除を行う際の表示などが行われる。
【００２６】
次に、顕微鏡１０における標本２６の観察及び撮像の流れについて図２を用いて説明する。
【００２７】
ステップＳ１では、ＣＰＵ６１は、ＲＡＭ６３を参照して、観察情報が記憶されているか否かを判定する。ＲＡＭ６３に観察情報が記憶されている場合には、観察情報が登録されていると判定し、ステップＳ２へと進む。一方、ＲＡＭ６３に観察情報が記憶されていない場合には、観察情報が登録されていないと判定され、ステップＳ６へと進む。
【００２８】
ステップＳ２では、登録された観察情報を利用するか否かが判定される。この判定は、ユーザーによる入力操作部６６の操作に基づいて判定される。入力操作部６６の操作によって、登録された観察情報を利用することが判定された場合には、ステップＳ３に進む。一方、登録された観察情報を利用しないと判定された場合には、ステップＳ６へと進む。
【００２９】
ステップＳ３では、観察情報として記録された状態情報の一覧から使用する状態情報を選択する。つまり、ＣＰＵ６１はＲＡＭ６３から観察情報を読み出して、観察情報として登録された状態情報の一覧を表示部６７に表示する。この表示を受けて、ユーザーは入力操作部６６を操作して、表示部６７に表示された状態情報から用いる状態情報を選択する。この選択が行われると、ステップＳ４に進む。
【００３０】
ステップＳ４では、状態情報の各項目から使用する項目を選択する。つまり、ＣＰＵ６１は、選択された状態情報の各項目（観察方法、電動ファイバ光源１１の位置情報、フイルタターレットの位置情報、対物レンズの位置情報等）を表示部６７に表示する。この表示を受けて、ユーザーは、入力操作部６６を操作して、表示された状態情報を示す各項目から使用する項目を選択する。この選択が終了すると、ステップＳ５に進む。
【００３１】
ステップＳ５では、選択された項目に対応する制御が実行される。つまり、状態情報の一つとしてレボルバ２０の位置情報が登録されており、その項目を選択した場合には、レボルバ駆動機構５３を介して、レボルバ２０が作動し、位置情報として登録された対物レンズが光路上に配置される。なお、登録されている状態情報を全て用いる場合には、全ての項目を選択すればよい。このステップＳ５の処理が終了すると、ステップＳ６に進む。
【００３２】
ステップＳ６では、入力操作部６６を用いた入力操作が行われたか否かが判定される。この判定で、入力操作部６６を用いた入力操作が行われたと判定された場合には、ステップＳ７に進み、入力操作が行われていないと判定された場合には、その処理が終了する。
【００３３】
ステップＳ７では、ステップＳ６で入力操作が行われたことが判定されているので、その入力操作に制御が実行される。
【００３４】
これにより、予め登録されている観察条件を容易に再現することができる。この際、ＣＰＵ６１は、作動させた各部の位置情報等を取得する。
【００３５】
次に、標本２６の観察や標本画像の取得したときの観察条件を観察情報として登録、更新及び削除する流れについて図３を用いて説明する。
【００３６】
ステップＳ１１は、観察情報が登録されているか否かの判定処理である。このステップＳ１１では、ＣＰＵ６１は、ＲＡＭ６３を参照して観察情報が記憶されているか否かを判定する。この判定でＲＡＭ６３に観察情報が登録されていない（未登録となる）場合には、Ｓ１２に進み、観察情報が登録されている場合には、観察情報を更新する処理（ステップＳ２１）に進む。
【００３７】
ステップＳ１２は、観察情報として記憶する状態情報の名称を入力する処理である。上述したように、観察情報は、状態情報毎にまとめられているので、このステップＳ１２では、各状態情報を認識できるように、ユーザーが入力操作部６６を操作して、意図する状態情報の名称を入力する。ステップＳ１２における状態情報の名称が入力されると、ステップＳ１３に進む。
【００３８】
ステップＳ１３は、状態情報として登録する項目を選択する処理である。このステップＳ１３に進むと、表示部６７には現在の顕微鏡１０の状態が項目毎に、例えば観察方法や、電動ファイバ光源１１、フイルタターレット１３及びレボルバ２０の位置などが表示されるので、ユーザーは、入力操作部６６を操作して、ユーザーの意図する、つまり、ユーザーが状態情報として記憶させたい項目を選択する。登録する項目の選択が終了すると、ステップＳ１４に進む。
【００３９】
ステップＳ１４は、ステップＳ１２、Ｓ１３における処理で入力された状態情報の名称や、選択された項目で良いか否かの確認処理である。つまり、表示部６７に、状態情報の名称や、選択された項目で良いか否かを確認する表示が、表示部６７に表示される。ユーザーは、入力操作部６６を用いて確認に対する入力操作を実行する。この入力操作によって、状態情報の名称や選択された項目で良いとする場合には、ステップＳ１５に進み、再度入力する場合には、ステップＳ１４に進む。
【００４０】
ステップＳ１５は、観察情報の登録処理である。つまり、ＣＰＵ６１は、入力された状態情報の名称、選択された項目、及び選択された項目に対する位置情報などを状態情報としてまとめた観察情報をＲＡＭ６３に記憶する。このときに、選択された項目に対する自動解除フラグの設定が実行され、対象となる項目と、自動解除フラグとを対応付けた上で、観察情報をＲＡＭ６３に記憶する。これにより、ユーザーの意図する情報のみが観察情報として記憶させることができる。
【００４１】
ステップＳ１１で観察情報が登録されていると判断された場合には、ステップＳ２１に進む。
【００４２】
ステップＳ２１は、観察情報を更新するか否かの確認処理である。この確認処理では表示部６７に観察情報を更新するか否かの確認表示が行われる。この確認表示を受けて、ユーザーは入力操作部を操作する。この入力操作部の操作が観察情報を更新するものであれば、ステップＳ２２に進む。一方、観察情報を更新しないものであれば、ステップＳ３１に進む。
【００４３】
ステップＳ２２は、観察情報として状態情報を新たに追加するか否かの確認処理である。この確認処理では、表示部６７に、観察情報として状態情報を新たに追加するか、既に登録されている状態情報の位置情報のみを更新するかの確認表示が行われる。ユーザーによる入力操作部６６の操作により新たに状態情報を追加するときには、ステップＳ２３に進み、状態情報の位置情報のみを更新するときには、ステップＳ２７に進む。つまり、このステップＳ２２において、現在の顕微鏡１０の状態（観察方法や、電動ファイバ光源１１、フイルタターレット１３及びレボルバ２０の位置など）を新たな状態情報として追加することで観察情報を更新するか、既に登録されている状態情報の位置情報を更新することで観察情報を更新するかが選択される。
【００４４】
ステップＳ２３は、追加する状態情報の名称を入力する処理である。この状態情報の入力する処理は、ステップＳ１２と同様に、入力操作部６６を用いて行われる。この処理が終了すると、ステップＳ２４に進む。
【００４５】
ステップＳ２４は、状態情報として登録する項目を選択する処理である。この処理については、ステップＳ１３と同様であるので、その詳細は省略する。ステップＳ２４で項目が選択されると、ステップＳ２５へ進む。
【００４６】
ステップＳ２５は、入力された内容の確認処理である。この確認処理についても、ステップＳ１４と同様であるので、ここでは、その詳細を省略する。このステップＳ１４の処理で、入力された内容が良ければ、ステップＳ２６に進み、入力された内容を修正する場合には、ステップＳ２３に戻る。
【００４７】
ステップＳ２６は、入力された内容に基づいて状態情報が作成される処理である。この処理により、ＣＰＵ６１は、選択された項目、及びそれら項目に対する位置情報を新たな状態情報としてまとめた上でＲＡＭ６３に記憶する。これにより、観察情報が更新される。
【００４８】
ステップＳ２７は、ステップＳ２２で状態情報として記憶された位置情報のみを更新する場合に進む処理である。このステップＳ２７において、ＣＰＵ６１は、先に状態情報として記憶された項目の位置情報を、現在の顕微鏡１０の状態（設定された観察条件に調整された顕微鏡１０の各部）から取得された位置情報に書き換える。これにより、観察情報が更新される。
【００４９】
ステップＳ２１で、観察情報の更新が選択されない場合には、ステップＳ３１に進む。ステップＳ３１は、登録されている観察情報を削除するか否かを確認する処理である。このステップＳ３１では、表示部２１に、観察情報を削除するか否かの確認表示が行われる。ユーザーは、観察情報を削除する場合には、入力操作部６６を用いて、その旨を示す操作を実行する。この場合、ステップＳ３２に進む。なお、ステップＳ３２は、観察情報を削除する処理である。これにより、ＲＡＭ６３に記憶された観察情報が削除される。これによれば、観察情報の更新、及び削除などの処理をユーザーの意図で行うことができ、ユーザーが意図する情報を観察情報として保存する、又は削除することができる。
【００５０】
この顕微鏡１０において、標本２６の交換などの際に電源装置５６による給電を停止する場合がある。図４に示すように、対象となる項目の位置情報をリセットする場合には、自動解除フラグ「１」が設定され、位置情報をリセットしない場合には、自動解除フラグ「０」が設定される。なお、図４では、Ｚ軸調整（Ｆｏｃｕｓ）と照明光の入射角（ＴＩＲＦ  Ａｎｇｌｅ）とに対して自動解除フラグ「１」が設定されているが、これに限定されるものではない。また、この自動解除フラグは、観察条件等に合わせて自動的に設定されるものであってもよいし、ユーザが設定してもよいものとする。
【００５１】
図５は、再給電が行われたときの状態情報が更新される場合の流れを示すフローチャートである。
【００５２】
ステップＳ４１は、電源装置５６における再給電が行われたか否かを判定する処理である。例えば電源装置５６における再給電が行われたと判定された場合には、ステップＳ４２に進み、電源装置５６における再給電が行われていないと判定された場合には、この処理が終了される。
【００５３】
ステップＳ４２〜Ｓ４４は、Ｚ軸調整の項目に対して自動解除フラグ「１」が設定されている場合の更新処理であり、ステップＳ４５〜Ｓ４７は、照明光の入射角の項目に対して自動解除フラグ「１」が設定されている場合の更新処理であるが、これら処理の流れは一例であるので、これに限定されるものではない。
【００５４】
ステップＳ４２に進むと、Ｚ軸調整の項目に対して自動解除フラグ「１」が設定されているか否かが判定される。この判定で、自動解除フラグ「１」の場合には、ステップＳ４３に進み、自動解除フラグ「０」の場合には、ステップＳ４５に進む。
【００５５】
ステップＳ４３に進むと、Ｚ軸調整の項目に対応付けられた位置情報がリセットされる。このリセットの後、ステップＳ４４に進む。
【００５６】
ステップＳ４４に進むと、自動解除フラグが「０」に書き換えられる。そして、ステップＳ４５に進み、照明光の入射角の項目に対する更新処理が実行される。なお、ステップＳ４５〜ステップＳ４７の処理内容は、ステップＳ４２〜ステップＳ４４の処理内容と同様であることから、ここではその詳細を省略する。そして、自動解除フラグ「１」が設定されている項目全てに対して、同様の処理が行われていく。
【００５７】
この更新処理が終了した後、ＣＰＵ６１は、書き換えられた状態情報を読み出して、顕微鏡１０の各部を作動させる。なお、更新処理が実行されると、自動解除フラグ「１」に設定されていた項目に対する位置情報は初期状態（例えば出荷時の状態）となることから、例えばＺ軸調整の項目に対応付けられた位置情報がリセットされた場合には、レボルバ２０が初期位置に保持される（駆動しない）。これによれば、新たにステージ２５にセットされた標本２６を破損させずに済む。また、照明光の入射角の項目に対応付けられた位置情報がリセットされた場合には、電動ファイバ光源１１の位置が初期位置（例えば出荷時の状態）となることから、電動ファイバ光源１１から照射されるレーザ光を、ユーザーに向けて反射させずに済む。
【００５８】
本実施形態では倒立顕微鏡を例に取り上げているが、これに限定する必要はなく、正立顕微鏡であってもよい。
【００５９】
本実施形態では、標本の観察及び標本画像の取得を同時に行える顕微鏡の例を取り上げている。これに限定される必要はなく、標本の観察、又は標本画像の取得の何れか一方のみを行う顕微鏡であってもよい。
【図面の簡単な説明】
【００６０】
【図１】電動顕微鏡の構成の一例を示す概略図である。
【図２】標本の観察、及び標本画像の取得時の流れを示すフローチャートである。
【図３】観察情報を登録、更新及び削除する流れを示すフローチャートである。
【図４】位置情報が取得される項目と自動解除フラグとの対応状態の一例を示す説明図である。
【図５】再給電が行われたときの流れを示すフローチャートである。
【符号の説明】
【００６１】
１０…顕微鏡，１１…電動ファイバ光源，１３…フイルタターレット，１４ａ〜１４ｎ…フイルタブロック，２０…レボルバ，２１ａ〜２１ｎ…対物レンズ，２５…ステージ，５５…電源装置，６０…ＣＰＵ，６５…コントローラ，６６…入力操作部，６７…表示部
【図１】
2008310022.tif 000003
【図２】
2008310022.tif 000004
【図３】
2008310022.tif 000005
【図４】
2008310022.tif 000006
【図５】
2008310022.tif 000007